(57)【要約】【課題】本発明は、筒状の柱の建方治具に関し、埋込み柱脚における建方を作業性良く、工期短縮させることが課題である。【解決手段】アンカーボルトが挿通される貫通孔を中央部に有するとともに下面の隅部にボルト用ネジ孔が設けられた平板状のベースプレート７と、前記ボルト用ネジ孔に螺装された調整ボルト８と、前記調整ボルトの頭部に嵌合して回転させ頭部の位置が建入れされた際に基礎部上面よりも上位置になる長尺の調整棒９と、該調整棒を回転自在に支持し柱脚に巻き付けて固定されるバンド部材１０とでなる筒状の柱の建方治具１である。【選択図】図１
2007270431.tif 000002
【特許請求の範囲】
【請求項１】
筒状の柱を基礎部に形成した箱抜きの開口部に建込み、前記筒状の柱のレベル調整及び建入れ垂直精度調整をした後に、当該開口部の隙間にコンクリートを打設して、前記筒状の柱と基礎部とを一体化させる埋込み柱脚方法において、
基礎部側に設けたアンカーボルトの上端部が貫通孔に挿通されることで位置決めされ筒状の柱の下端部に設置されるベースプレートに上下移動可能な調整ボルトを設け、
前記筒状の柱を前記基礎部の開口部に建入れし前記アンカーボルトをベースプレートの貫通孔に挿通させて位置決めした後に、
前記開口部の上から、前記調整ボルトを回転させて上下移動を調整する長尺の調整棒により、前記筒状の柱のレベル調整と垂直精度調整とのうち少なくとも垂直精度調整を行うこと、
を特徴とする筒状の柱の建方方法。
【請求項２】
筒状の柱を基礎部に形成した箱抜きの開口部に建込み、前記筒状の柱のレベル調整及び建入れ精度調整をした後に、当該開口部の隙間にコンクリートを打設して、前記筒状の柱と基礎部とを一体化させる埋込み柱脚方法において、
前記基礎部の構築時に前記筒状の柱の建込み予定位置における中心部にアンカーボルトを埋め込んでおいて構築する工程と、
前記筒状の柱の柱脚部に、前記アンカーボルトが挿通される貫通孔を中央部に有するとともに下面の隅部にボルト用ネジ孔が設けられた平板状のベースプレートと、前記ボルト用ネジ孔に螺装された調整ボルトと、前記調整ボルトの頭部に嵌合して回転させ頭部の位置が建入れされた際に基礎部上面よりも上位置になる長尺の調整棒と、該調整棒を回転自在に支持し柱脚に巻き付けて固定されるバンド部材とでなる建方治具を用意して、前記ベースプレートを前記柱脚の下端面に取り付けて前記調整棒を前記調整ボルトの頭部に嵌合させた状態で回転自在に支持する前記バンド部材を柱脚の上部に装着する工程と、
前記建方治具を装着した筒状の柱を揚重手段で吊り上げて前記開口部に柱脚から建込みながら前記ベースプレートの中央部の貫通孔に前記アンカーボルトを挿通させてセットする工程と、
前記調整棒の頭部に取っ手を装着して前記調整ボルトを回転させて、当該筒状の柱のレベル調整と垂直精度調整とのうち少なくとも垂直精度調整を行う工程と、
調整された筒状の柱を固定治具で位置固定する工程と、
前記建方治具のうちバンド部材と調整棒とを前記筒状の柱から撤去する工程と、
前記開口部にコンクリートを打設する工程とからなること、
を特徴とする筒状の柱の建方方法。
【請求項３】
アンカーボルトの上部には、レベル調整用のナットが設けられていること、
を特徴とする請求項２に記載の筒状の柱の建方方法。
【請求項４】
アンカーボルトが挿通される貫通孔を中央部に有するとともに下面の隅部にボルト用ネジ孔が設けられた平板状のベースプレートと、
前記ボルト用ネジ孔に螺装された調整ボルトと、
前記調整ボルトの頭部に嵌合して回転させ頭部の位置が建入れされた際に基礎部上面よりも上位置になる長尺の調整棒と、
該調整棒を回転自在に支持し柱脚に巻き付けて固定されるバンド部材とでなること、
を特徴とする筒状の柱の建方治具。
【請求項５】
ボルト用ネジ孔は、ベースプレートの下面に溶接して固設したナットと、該ナットに連通するように当該プレートに設けられたボルト用貫通孔とで構成されていること、
を特徴とする請求項４に記載の筒状の柱の建方治具。
【発明の詳細な説明】
【技術分野】
【０００１】
本発明は、工場で予め製作されたプレキャストコンクリート柱（以下、ＰＣ柱と記載する）や鋼管柱等の筒状の柱を基礎部に建方する際の、レベル調整や建入れ調整の精度を一定に保持するための筒状の柱の建方方法とその建方治具に関するものである。
【背景技術】
【０００２】
従来、前記筒状の柱を基礎部に建方するには、例えば、図８に示すように、露出柱脚の場合には、基礎コンクリートの上端部に柱脚をベースプレートとアンカーボルトで設置し、位置調整をアンカーボルトで行い、レベル調整をベースモルタルで行っている（特許文献１参照）。また、図９に示すように、埋込み柱脚の場合には、箱抜きにより柱脚を埋め込むための開口部を設けて、基礎梁を構築し、前記開口部にＰＣ柱又は鉄骨柱等の筒状の柱の柱脚を立て込んだ後、当該開口部と柱脚との間にコンクリートを打設して一体化するものが知られている（特許文献２参照）。
【特許文献１】特開平１０−１２１５７６号公報
【特許文献２】特開平１０−１８３００号公報
【発明の開示】
【発明が解決しようとする課題】
【０００３】
しかし、従来の筒状の柱の建方治具では、前記露出柱脚の場合には、アンカーボルトの位置がずれると台直しを行うことになり、工期が延びて品質に悪影響を及ぼす。しかも、ベースモルタルが所要の強度に発現するまで３〜５日必要であり、養生期間の分だけ工期が伸びてしまう。一方、前記埋込み柱脚の場合には、箱抜きした開口部に柱脚を建込むので、その後の位置調整やレベル調整が困難となる。かかる埋込み柱脚による建込み方法は、構造的に曲げ耐力が期待できるので前記位置調整及びレベル調整が能率的で容易となれば高層建築物に最も好ましい方法となるので、本発明に係る筒状の柱の建方方法と、それに使用する建方治具は、このような課題を解決するために提案されたものである。
【課題を解決するための手段】
【０００４】
本発明に係る筒状の柱の建方方法の上記課題を解決して目的を達成するための要旨は、筒状の柱を基礎部に形成した箱抜きの開口部に建込み、前記筒状の柱のレベル調整及び建入れ垂直精度調整をした後に、当該開口部の隙間にコンクリートを打設して、前記筒状の柱と基礎部とを一体化させる埋込み柱脚方法において、 基礎部側に設けたアンカーボルトの上端部が貫通孔に挿通されることで位置決めされ筒状の柱の下端部に設置されるベースプレートに上下移動可能な調整ボルトを設け、前記筒状の柱を前記基礎部の開口部に建入れし前記アンカーボルトをベースプレートの貫通孔に挿通させて位置決めした後に、前記開口部の上から、前記調整ボルトを回転させて上下移動を調整する長尺の調整棒により、前記筒状の柱のレベル調整と垂直精度調整とのうち少なくとも垂直精度調整を行うことである。
【０００５】
また、本発明に係る筒状の柱の建方方法の要旨は、筒状の柱を基礎部に形成した箱抜きの開口部に建込み、前記筒状の柱のレベル調整及び建入れ精度調整をした後に、当該開口部の隙間にコンクリートを打設して、前記筒状の柱と基礎部とを一体化させる埋込み柱脚方法において、前記基礎部の構築時に前記筒状の柱の建込み予定位置における中心部にアンカーボルトを埋め込んでおいて構築する工程と、前記筒状の柱の柱脚部に、前記アンカーボルトが挿通される貫通孔を中央部に有するとともに下面の隅部にボルト用ネジ孔が設けられた平板状のベースプレートと、前記ボルト用ネジ孔に螺装された調整ボルトと、前記調整ボルトの頭部に嵌合して回転させ頭部の位置が建入れされた際に基礎部上面よりも上位置になる長尺の調整棒と、該調整棒を回転自在に支持し柱脚に巻き付けて固定されるバンド部材とでなる建方治具を用意して、前記ベースプレートを前記柱脚の下端面に取り付けて前記調整棒を前記調整ボルトの頭部に嵌合させた状態で回転自在に支持する前記バンド部材を柱脚の上部に装着する工程と、前記建方治具を装着した筒状の柱を揚重手段で吊り上げて前記開口部に柱脚から建込みながら前記ベースプレートの中央部の貫通孔に前記アンカーボルトを挿通させてセットする工程と、前記調整棒の頭部に取っ手を装着して前記調整ボルトを回転させて、当該筒状の柱のレベル調整と垂直精度調整とのうち少なくとも垂直精度調整を行う工程と、調整された筒状の柱を固定治具で位置固定する工程と、前記建方治具のうちバンド部材と調整棒とを前記筒状の柱から撤去する工程と、前記開口部にコンクリートを打設する工程とからなることである。
また、前記アンカーボルトの上部には、レベル調整用のナットが設けられていることを含むものである。
【０００６】
本発明に係る筒状の柱の建方治具の上記課題を解決して目的を達成するための要旨は、アンカーボルトが挿通される貫通孔を中央部に有するとともに下面の隅部にボルト用ネジ孔が設けられた平板状のベースプレートと、前記ボルト用ネジ孔に螺装された調整ボルトと、前記調整ボルトの頭部に嵌合して回転させ頭部の位置が建入れされた際に基礎部上面よりも上位置になる長尺の調整棒と、該調整棒を回転自在に支持し柱脚に巻き付けて固定されるバンド部材とでなることである。
更に、前記ボルト用ネジ孔は、ベースプレートの下面に溶接して固設したナットと、該ナットに連通するように当該プレートに設けられたボルト用貫通孔とで構成されていること、を含むものである。
【発明の効果】
【０００７】
本発明の筒状の柱の建方方法とその建方治具によれば、埋込み柱脚方法において、従来では作業的に困難を極めたレベル調整と垂直建方精度の調整が、基礎上面で作業者が容易に遂行できるようになる。更に、調整ボルトでレベル調整でき、しかも長尺の調整棒で基礎部の上面から作業ができるので、ベースモルタルを作る必要が無くなり、それに伴いベースモルタルの養生期間が省かれることになって建入れ作業工期が短縮される。
また、建入れ調整及びレベル調整を同時に行うことができて、調整作業の工期も短縮される。
更に、アンカーボルトにレベル調整用のナットを設けることで、調整ボルトによる垂直精度調整だけとなって作業工程が削減され、作業能率も向上する。
【発明を実施するための最良の形態】
【０００８】
本発明に係る筒状の柱の建方治具１は、図１乃至図３に示すように、例えば、工場で遠心成形され中央部が空洞のＰＣ柱２を基礎部３に形成した箱抜きの開口部４に建込み、前記ＰＣ柱２のレベル調整及び建入れ精度調整をした後に、当該開口部４の隙間にコンクリート５を打設して、前記ＰＣ柱２と基礎部３とを一体化させる埋込み柱脚方法において使用されるものである。
【０００９】
前記建方治具１について、説明する。建方治具１は、図１乃至図３に示すように、後述のアンカーボルト６が挿通される貫通孔７ａを中央部に有するとともに下面の隅部にボルト用ネジ孔７ｂが設けられた金属製の平板状体で矩形状のベースプレート７と、前記ボルト用ネジ孔７ｂに螺装された調整ボルト８と、前記調整ボルト８の頭部８ａに下部の嵌合部９ｂが嵌合して回転させ頭部９ａの位置が、前記ＰＣ柱２が建入れされた際に基礎部３の上面３ａよりも上位置になる長尺の金属製の調整棒９と、該調整棒９を回転自在に支持し柱脚２ａに巻き付けて固定されるバンド部材１０とでなる。
【００１０】
前記ベースプレート７のボルト用ネジ孔７ｂは、図２に示すように、ベースプレート７の下面７ｃに溶接して固設したナット１１と、該ナット１１に連通するように当該プレート７に設けられたボルト用貫通孔７ｄとで構成されている。
【００１１】
前記調整棒９は、図１に示すように、前記ＰＣ柱２が開口部４に建入れされた際に、作業者が基礎部３の上面から調整作業できるように、この調整棒９の頭部９ａの位置が前記基礎部３の上面３ａよりも上位置になるように、長尺にしてある。
【００１２】
前記ベルト部材１０は、図３に示すように、２分割された半円形状の帯板１０ａ，１０ｂと、該帯板の端部に半径方向に突出されボルト・ナットで締結するための孔が設けられた連結部１０ｃ，１０ｄと、前記調整棒９を支持孔１０ｆに挿通させて回転自在に支持する、帯板１０ａ，１０ｂの外側周方向に４カ所に設けられた支持部１０ｅとで構成されている。
【００１３】
以上のように構成される建方治具１を使用して、本発明に係る第１実施例の建方方法を説明する。まず、図１に示すように、基礎部３を構築する際に、箱抜きで開口部４を構築する。そして、前記基礎部３の構築時に、前記ＰＣ柱２の建込み予定位置における中心部に、アンカーボルト６を埋め込んでおいて構築する。
【００１４】
次に、前記ＰＣ柱２の柱脚部２ａに、前記アンカーボルト６が挿通される貫通孔７ａを中央部に有するとともに下面の隅部にボルト用ネジ孔７ｂが設けられた平板状で矩形状のベースプレート７を前記柱脚２ａの下端面に取り付ける。そして、前記ボルト用ネジ孔７ｂに調整ボルト８を４本で螺装する。調整ボルト８の下端面をナット１１から下の突出させておく。そして、前記柱脚２ａの上部に、２分割のバンド部材１０を巻き付けてこれをボルト・ナットで固定する。
【００１５】
前記巻き付けたバンド部材１０に、調整棒９を上方から支持孔１０ｆに差し込んで、その下部９ｂを、前記調整ボルト８の頭部８ａに嵌合させる。これを４カ所において同様に行う。なお、前記ベースプレート７を前記ＰＣ柱２の下端面に取り付けるには、接着材等を用いて行うものである。
【００１６】
次に、前記建方治具１を取り付けた前記ＰＣ柱２をクレーで持ち上げ、柱脚２ａを前記開口部４に建入れする。その際に、前記ベースプレート７の中央部の貫通孔７ａに、前記アンカーボルト６の先端部が挿通するように注意しながら、前記ＰＣ柱２を降ろす。
【００１７】
その後、前記調整棒９の頭部９ａが、基礎部３の上面３ａから上の位置にあるように長尺にされているので、そこに取っ手１２を装着して、開口部４の下にある前記調整ボルト８を前記調整棒９を介して基礎部３の上から回転させて、当該ＰＣ柱２のレベル調整と垂直精度の調整とを行う。ＰＣ柱２の垂直精度は、トランシットで確認しながら行う。
【００１８】
次に、前記調整されたＰＣ柱２を、図４に示すように、クサビ状の固定治具１３を４ヶ所に挟み込んで、位置固定する。こうしてＰＣ柱２を位置固定した後に、クレーンのワイヤーをＰＣ柱２から外し、前記前記建方治具１のうちバンド部材１０と調整棒９とを前記ＰＣ柱２から撤去する。その後、開口部４にコンクリート５を打設する。
【００１９】
第２実施例に係る建方方法は、図２に示すように、ベースプレート７の貫通孔７ａの下面に、アンカーボルト６が前記貫通孔７ａにスムーズに挿通されるようにガイドする、テーパ部を有したガイド部材１４を設けて、行うものである。これにより、図５（Ａ）に示すように、ＰＣ柱２の建入れの際に、アンカーボルト６の上端を貫通孔７ａに容易に挿通させることができる。作業能率が向上するものである。
【００２０】
また、本発明の第３実施例は、図５（Ｂ）に示すように、前記アンカーボルト６の上部には、レベル調整用のナット（ダブルナット）１５が設けられているものである。これにより、ＰＣ柱２の直角精度は前記調整ボルト８で行い、レベル調整は前記ナット１５で行うものである。前記ナット１５で精度良く位置決めしておけば、前記調整ボルト８で両方の調整を行うことよりも、短時間で作業能率良く行える。
【００２１】
本発明の第４実施例は、図５（Ｃ）に示すように、前記レベル調整用のナット１５でレベル調整した後に、前記調整ボルト８による直角精度の調整の際に、ベースプレート７が持ち上げられないようにする、押さえ手段１６を設けたものである。
【００２２】
この押さえ手段１６は、筒状のキャップ１６ａを溶接等の手段で予めベースプレート７の上面に固着しておいて、ＰＣ柱２の建入れの後に、上方からＰＣ柱２の中空部に注入パイプを降下させて前記キャップ１６ａに接続し、エポキシ樹脂等をキャップ１６ａ内部に注入して充填するものである。注入パイプはその後に、キャップ１６ａから外して撤去する。
【００２３】
このほか、図４に示す前記クサビ状の固定治具１３は、ＰＣ柱２を４本の調整ボルト８で自立させることができれば、使用しないで行うこともできる。また、図６に示すように、本発明に関連するものとして、開口部４の底部にレベル調整したベースモルタル１８を形成して、ＰＣ柱２の垂直調整は、開口部４の上部に水平に設けたジャッキ１７により行うようにしたものである。
【００２４】
前記ベースモルタル１８によるレベル調整のために、図７（Ａ）に示すように、ＰＣ柱２の下面のベースプレート２０には、その下面中央部に、円錐状の凹部を形成したすり鉢状の受け部材１９が設けられ、前記ベースモルタル１８は、同図７（Ｂ）に示すように、所定の位置に、円錐状の山形にして形成されている。なお、ベースモルタル１８の養生を短縮するために、これを、鋼製等の金属製とすることが好ましい。
【００２５】
前記ベースプレート２０を取り付けたＰＣ柱２を開口部４に建入れする。これで、レベル調整及び建入れ位置決めは同時に完了するので、開口部４の上部にジャッキ１７を４ヶ所に設置する。このジャッキ１７の操作により、ＰＣ柱２の直角方向の精度をトランシット等で確かめながら調整する。その後、開口部４の隙間にコンクリート５を打設する。前記ジャッキ１７は撤去する。こうして、効率よくＰＣ柱２の建入れが遂行されるものである。全体的に部品点数が少なく、低コストで実施することができる。
【００２６】
上記、各実施例においては、ＰＣ柱２で説明したが、これに限らず、Ｈ型鋼や鋼管柱などにも、同様に建入れ調整ができるものである。
【図面の簡単な説明】
【００２７】
【図１】本発明に係る筒状の柱の建方治具１を使用した建方方法を説明する縦断面図である。
【図２】同本発明の筒状の柱の建方治具１におけるベースプレート７の一部拡大正面図である。
【図３】バンド部材１０の斜視図である。
【図４】ＰＣ柱２を建入れして固定治具１３で位置固定した状態の説明図である。
【図５】アンカーボルト６とベースプレート７の各実施例を示す正面図（Ａ），（Ｂ），（Ｃ）である。
【図６】他の実施例を示す縦断面図である。
【図７】同他の実施例に係るベースプレート２０の斜視図（Ａ）と、ベースモルタル１８の正面図（Ｂ）とである。
【図８】従来例に係る露出柱脚の場合の縦断面図である。
【図９】同従来例に係る埋込み柱脚の場合の縦断面図である。
【符号の説明】
【００２８】
１          筒状の柱の建方治具、
２          ＰＣ柱、                    ２ａ        柱脚部、
３          基礎部、                    ３ａ        上面、
４          開口部、
５          コンクリート、
６          アンカーボルト、
７          ベースプレート、            ７ａ        貫通孔、
７ｂ        ボルト用ネジ孔、            ７ｃ        下面、
７ｄ        ボルト用貫通孔、
８          調整ボルト、                ８ａ        頭部、
９          調整棒、                    ９ａ        頭部、
９ｂ        嵌合部、
１０        バンド部材、                １０ａ，１０ｂ  帯板、
１０ｃ，１０ｄ      連結部、            １０ｅ      支持部、
１０ｆ      支持孔、      
１１        ナット、
１２        取っ手、
１３        固定治具、
１４        ガイド部材、
１５        ナット、
１６        押さえ手段、                １６ａ        キャップ、
１７        ジャッキ、                  
１８        調整ボルト、
１９        受け部材、
２０        ベースプレート。
【図１】
2007270431.tif 000003
【図２】
2007270431.tif 000004
【図３】
2007270431.tif 000005
【図４】
2007270431.tif 000006
【図５】
2007270431.tif 000007
【図６】
2007270431.tif 000008
【図７】
2007270431.tif 000009
【図８】
2007270431.tif 000010
【図９】
2007270431.tif 000011